(57)【特許請求の範囲】
【請求項１】
ケースと、
ケースの収納部内に回転自在に収納されると共にケース上面から突出する軸部材を取り付けてなる回転体と、
前記回転体の回転によって電気的出力を変化する電気的機能部と、
前記ケース上面から突出する軸部材に取り付けられる回転つまみ、とを具備し、
前記回転つまみの回転によってこれと一体に軸部材及び回転体が回転して電気的機能部の電気的出力が変化する回転式電子部品において、
前記ケースの上面に、上方に突出して前記軸部材を軸支する軸受突部と、前記軸受突部の周囲を囲むように上方に突出する囲み突部とを設けることで、軸受突部と囲み突部との間にグリス充填部を形成し、前記グリス充填部に充填されたグリス内にグリス充填部の開口部から前記軸部材又は回転つまみに設けた抵抗付与部を挿入するとともに、
前記ケースの収納部内に前記回転体側の部材又はケース側の部材に弾接することで回転体の回転に抵抗を付与する弾接部材を設置したことを特徴とする回転式電子部品。
【請求項２】
前記抵抗付与部は、同心円筒上に位置する複数の円弧状板部材によって構成されていることを特徴とする請求項１に記載の回転式電子部品。
【請求項３】
前記ケースの回転つまみ側にグリス充填部を設置し、前記ケースの収納部内の回転体よりも回転つまみ側に前記弾接部材を設置すると共に回転体の反対面側に前記電気的機能部を設置したことを特徴とする請求項１又は２に記載の回転式電子部品。
【発明の詳細な説明】
【技術分野】
【０００１】
本発明は、回転つまみの回転に適度なねっとりとした粘りのある抵抗を生じさせることができる回転式電子部品に関するものである。
【背景技術】
【０００２】
従来、回転式電子部品の回転つまみを回転した際のその回転感覚として、適度にねっとりとした粘りのある抵抗を生じさせることが望まれる場合がある。そして従来この種のねっとりとした抵抗を得るためにグリスが用いられてきた。即ちグリスを回転つまみの回転軸とこの回転軸を軸支する固定側部材の軸受との間等に塗布し、このグリスの粘度によって回転つまみの回転時のねっとり感を出すのである（例えば特許文献１）。
【０００３】
しかしながら、前記ねっとりとした抵抗として大きな抵抗が望まれる場合、前記グリスの粘度を高くする必要があるが、グリスの粘度を高くすると、この回転式電子部品を低温の雰囲気内に設置した場合、グリスが硬くなり過ぎ、必要以上の回転抵抗が生じてしまう。一方低温時を考慮してグリスの粘度を低くすると、常温又は高温の雰囲気内では逆に回転抵抗が小さくなり過ぎてしまう。
【特許文献１】特開２００４−１７２００７号公報
【発明の開示】
【発明が解決しようとする課題】
【０００４】
本発明は上述の点に鑑みてなされたものでありその目的は、回転つまみの回転時に適度なねっとりとした粘りのある抵抗が得られると共にその抵抗が温度による影響を受け難い回転式電子部品を提供することにある。
【課題を解決するための手段】
【０００５】
本願請求項１に記載の発明は、ケースと、ケースの収納部内に回転自在に収納されると共にケース上面から突出する軸部材を取り付けてなる回転体と、前記回転体の回転によって電気的出力を変化する電気的機能部と、前記ケース上面から突出する軸部材に取り付けられる回転つまみ、とを具備し、前記回転つまみの回転によってこれと一体に軸部材及び回転体が回転して電気的機能部の電気的出力が変化する回転式電子部品において、前記ケースの上面に、上方に突出して前記軸部材を軸支する軸受突部と、前記軸受突部の周囲を囲むように上方に突出する囲み突部とを設けることで、軸受突部と囲み突部との間にグリス充填部を形成し、前記グリス充填部に充填されたグリス内にグリス充填部の開口部から前記軸部材又は回転つまみに設けた抵抗付与部を挿入するとともに、前記ケースの収納部内に前記回転体側の部材又はケース側の部材に弾接することで回転体の回転に抵抗を付与する弾接部材を設置したことを特徴とする回転式電子部品にある。
【０００６】
本願請求項２に記載の発明は、前記抵抗付与部は、同心円筒上に位置する複数の円弧状板部材によって構成されていることを特徴とする請求項１に記載の回転式電子部品にある。
【０００７】
本願請求項３に記載の発明は、前記ケースの回転つまみ側にグリス充填部を設置し、前記ケースの収納部内の回転体よりも回転つまみ側に前記弾接部材を設置すると共に回転体の反対面側に前記電気的機能部を設置したことを特徴とする請求項１又は２に記載の回転式電子部品にある。
【発明の効果】
【０００８】
請求項１に記載の発明によれば、グリスによってねっとり感を出す抵抗（グリス抵抗）と、弾接部材によって回転体の回転に付与される抵抗（弾接抵抗）とを同時に負荷したので、温度によって変化しない弾接抵抗によって、温度によって変化するグリス抵抗の変化を相対的に小さくできる。
またグリス抵抗は、グリス充填部に充填されたグリス内に抵抗付与部を挿入することによって付与されるので、単に回転つまみの回転軸とその軸受の間にグリスを塗布する場合に比べて、十分なグリスによってグリス抵抗を付与でき、従来に比べてさらに十分なねっとり感が得られるばかりか、大きな抵抗が得られる。
つまり本発明によれば、従来に比べてさらに十分なねっとり感が得られるので、例え弾接抵抗によってグリス抵抗が相対的に小さくなってもねっとり感としては十分なものが得られ、同時に温度によってねっとり感に変化は出るものの弾接抵抗によって回転抵抗が大きく変化することはなく、従って両抵抗のバランスを図ることで、回転つまみの回転時に適度なねっとりとした抵抗が得られると共にその抵抗が温度による影響を受け難い回転式電子部品が得られる。
【０００９】
請求項２に記載の発明によれば、抵抗付与部を構成する複数の円弧状板部材によってグリス充填部内に充填したグリスを攪拌するので、隣り合う円弧状板部材間の隙間に充填されているグリスが掻き回され、グリスの粘性を効率的に十分に回転つまみに伝達できる。この構成はねっとりとした強い抵抗を付与するのに好適である。
【００１０】
請求項３に記載の発明によれば、グリス充填部から十分離れた位置に電気的機能部を設置したので、グリスが電気的機能部に達することを容易に防止できる。
【発明を実施するための最良の形態】
【００１１】
以下、本発明の実施形態を図面を参照して詳細に説明する。図１は本発明の１実施形態にかかる押圧式電子部品付の回転式電子部品１を示す概略側断面図、図２は回転式電子部品１の上部の部品を上側から見た分解斜視図、図３は回転式電子部品１の下部の部品を上側から見た分解斜視図、図４は回転式電子部品１の上部の部品を下側から見た分解斜視図、図５は回転式電子部品１の下部の部品を下側から見た分解斜視図である。これらの図に示すように回転式電子部品１は、取付板１０上に、回路基板（以下「フレキシブル回路基板」という）２０と、支持台６０と、摺動子８０及び補強板１００を取り付けた回転体７０と、弾接部材（以下「弾接バネ」という）１１０を取り付けたケース１２０と、軸部材１５０と、押釦つまみ１８０と、回転つまみ２００とを具備して構成されている。以下各構成部品について説明する。なお以下の説明において、「上」とはケース１２０から見て回転つまみ２００を設置する側を、「下」とはその反対側を言うものとする。
【００１２】
取付板１０は硬質板（この実施形態ではステンレス板であるが、他の金属板又は樹脂板等であっても良い）の所定位置に貫通する小孔からなる複数の取付部１１を設けて構成されている。
【００１３】
フレキシブル回路基板２０は、可撓性を有する合成樹脂フイルム（この実施形態ではポリエチレンテレフタレートフイルム）の表面に所望の回路パターンを設けて構成されており、２枚の略同一形状（略円形）の第１，第２基板部２１，２３を重ね合せることで形成される押釦スイッチ部２５と、押釦スイッチ部２５の上部に設置される回転式電子部品部４５とを具備している。第１，第２基板部２１，２３は連結部２７で連結されていてこの連結部２７の部分を折り曲げることで重ね合わされ、また第２基板部２３と回転式電子部品部４５とは連結部２９で連結されていてこの連結部２９の部分を折り曲げることで第２基板部２３の上方に回転式電子部品部４５が設置されている。第１基板部２１からは帯状の引出部３１が外方に向けて突出しており、図示しない他の電気回路に接続される。重ね合わせた第１，第２基板部２１，２３の中央には狭い間隔を介して一対の接点パターン３３，３５（図１参照）が対向することで、押圧スイッチ３７が形成されている。一対の接点パターン３３，３５の周囲にはこれらを囲むようにスペーサ層３９が形成されている。また押圧スイッチ３７の上部（第２基板部２３上）には弾性金属板をドーム状に形成した反転板４１が設置されている。また重ね合わせた第１，第２基板部２１，２３の前記取付板１０の各取付部１１に対向する位置には、上下に貫通する小孔からなる挿通部４３が設けられている。回転式電子部品部４５は略円形であり、中央に下記する押釦つまみ１８０の軸部１８３を挿通する円形の挿通孔４７を設け、挿通孔４７の周囲上面（図３に点線で示す領域）に電気的機能部となる摺接パターン４９を設け、またその外周の複数箇所（３ヶ所）から舌片状であって内部に略円形の貫通孔からなる挿通孔５１を有する取付部５３を設けて構成されている。なおこの実施形態の摺接パターン４９はスイッチパターン（コードスイッチパターン）である。引出部３１には摺接パターン４９や前記一対の接点パターン３３，３５に接続された図示しない回路パターンが引き出されている。
【００１４】
支持台６０は合成樹脂（例えばＡＢＳ樹脂）を略円板状に形成して構成されており、中央に下記する押釦つまみ１８０の軸部１８３を挿通する円形の挿通孔部６１を設け、またその外周の複数箇所（３ヵ所）から舌片状であって内部に略円形の貫通孔からなる挿通孔部６３を有する取付突部６５を設けて構成されている。
【００１５】
電気的機能部となる摺動子８０は弾性金属板を略リング状に形成して構成されており、中央に円形の貫通孔からなる開口部８１を設け、また略等間隔に設けた３つの基部８３からそれぞれ円弧状に３組の摺動冊子８５を突出して構成されている。各摺動冊子８５の先端には弾接部８７が設けられている。また基部８３にはそれぞれ小孔からなる固定部８９が設けられている。
【００１６】
回転体７０は合成樹脂（例えばＰＯＭ樹脂）を略円板状に成形して構成されており、その中央に上下に貫通する挿通部７１を設け、また挿通部７１の周囲の同一円弧上に３つの上下に貫通する取付穴７３を設け、取付穴７３の周囲の上面に円弧状であって上方向に突出する３つのガイド部７５を設け、ガイド部７５の周囲の上面に２つの小突起状の取付片７７を設け、一方回転体７０の下面の前記摺動子８０の各固定部８９に対向する位置にこれら固定部８９に挿入される小突起状の摺動子取付部７９を設けて構成されている。
【００１７】
補強板１００は硬質板（この回転式電子部品１ではステンレス板であるが、他の金属板又は樹脂板等であっても良い）を略リング状に形成して構成されており、中央に前記回転体７０のガイド部７５を挿入する開口１０１を設け、また前記回転体７０の各取付片７７に対向する位置に取付片７７を挿入する小孔からなる取付固定部１０３を設けて構成されている。
【００１８】
弾接バネ１１０は弾性金属板を略リング状に形成し、１８０°対向する位置に一対の取付用基部１１１を設けて各取付用基部１１１内に小孔からなる挿入固定部１１３を設け、基部１１１と基部１１１の間を結ぶ一対のアーム部１１５の中央をそれぞれ下方向（補強板１００方向）に向けて突出するように屈曲させて弾接部１１７として構成されている。
【００１９】
ケース１２０は合成樹脂（例えばＡＢＳ樹脂）製であって下面が開放された略筒状に形成されている。即ち筒状の側壁部１２３の上面に上面部１２５を設けており、開放された下面側部分を収納部１２７としている。上面部１２５の中央には下記する軸部材１５０の軸部本体１５１を回動自在に挿通する軸受孔１２９が設けられている。軸受孔１２９の周囲には筒状の軸受突部１３１が突出しており、軸受突部１３１の外周を囲む位置にも筒状の囲み突部１３３が突出しており、軸受突部１３１と囲み突部１３３の間の凹部をグリス充填部１３５としている。つまりケース１２０の上面に上方に突出して軸部材１５０を軸支する軸受突部１３１と、軸受突部１３１の周囲を囲むように上方に突出する囲み突部１３３とを設けることで、軸受突部１３１と囲み突部１３３との間にグリス充填部１３５を形成している。一方側壁部１２３の下端辺の前記取付板１０の各取付部１１に対向する位置にはそれぞれ各取付部１１に挿入される小突起状の固定部１３７が設けられ、また側壁部１２３の下端辺の各固定部１３７の間の位置には４つの凹部１３９が設けられてその内の３つの凹部１３９内に下方向に突出する小突起状の取付固定部１４１が設けられている。なお上面部１２５の下面の前記弾接バネ１１０に設けた一対の挿入固定部１１３にそれぞれ対向する位置には、図示はしないがこれら挿入固定部１１３に挿入される一対の小突起が設けられている。
【００２０】
軸部材１５０は合成樹脂（例えばＡＢＳ樹脂）の成形品であって、略円筒状の軸部材本体１５１の上端に略円板状のつまみ固定部１５３を設けて構成されている。軸部材１５０の中央にはこれを上下に貫通して下記する押釦つまみ１８０の軸部１８３を上下動自在に挿入（貫通）ガイドする他部品収納部となる挿通部１５５が設けられている。軸部材本体１５１の下端辺からは３つの取付係合部１５７が突設されている。各取付係合部１５７はそれぞれ前記回転体７０の取付穴７３にぴったり挿入されてその先端が回転体７０の下面から突出する形状に形成されている。つまみ固定部１５３の下面の前記軸部材本体１５１を囲む位置であって且つ前記ケース１２０のグリス充填部１３５に挿入される位置には、下方向に向かって突出する複数枚（この例では４枚）の抵抗付与部１５９が設けられている。各抵抗付与部１５９は同心円筒上に位置する複数の円弧状板部材であって軸部材本体１５１を囲むように真下（軸部材１５０の回転中心軸Ｌ方向）から見て円弧状に湾曲して形成されている。言い換えれば各抵抗付与部１５９は１つの円筒の面の一部同士によって形成されている。
【００２１】
つまみ固定部１５３の外周には上方向（押釦つまみ１８０方向）に向かって突出する略円筒状の側壁部１６１が設けられており、その中央部分は円形凹状の他部品収納部となるつまみ部収納部１６７となっている。つまり前記挿通部１５５とつまみ部収納部１６７を合わせて他部品収納部を構成している。つまみ固定部１５３の外周の略等間隔の複数箇所（この例では４ヶ所）にはつまみ固定部１５３の外周面を略矩形状に切り欠いてなる被係合部１６３が設けられている。被係合部１６３は軸部材１５０の半径方向外方に向かって開放されている切り欠きとなっている。また軸部材１５０のつまみ固定部１５３の外周面の１ヶ所には、略矩形状に切り欠いてなる凹状の位置決め部１６５が設けられている。位置決め部１６５は軸部材１５０の回転中心軸Ｌ方向に平行な方向に向かって直線状に設けられている。さらに軸部材１５０のつまみ固定部１５３の側壁部１６１にはこれをその上端面から凹状に切り欠く１つのつまみ位置決め部１６９が設けられている。
【００２２】
押釦つまみ１８０は合成樹脂（例えばＡＢＳ樹脂）の成形品であって、略円板状のつまみ部１８１の下面中央から棒状の軸部１８３を突出して構成されている。軸部１８３の下部は前記押圧スイッチ３７を押圧する押圧部１８５となっている。つまみ部１８１にはその外周からリング状のつば部１８７が突出しており、その一部からはさらに外方に突出する舌片状の位置決め部１８９が設けられている。位置決め部１８９は前記軸部材１５０のつまみ位置決め部１６９に上下動自在に係合される形状に形成されている。
【００２３】
図６は回転つまみ２００を拡大して下面側から見た斜視図である。同図及び図１，図２，図４に示すように、回転つまみ２００は合成樹脂（例えばＰＣ／ＡＢＳ樹脂）の成形品であり、下面が開放された略円筒状に形成され、側壁部２０１と上面部２０３とを有し、上面部２０３中央に開口２０５を設け、これによって中央に上下に貫通する軸部材収納部２０７を有して構成されている。回転つまみ２００の軸部材収納部２０７の内周面２０７ａには、この内周面２０７ａから突出する凸部からなる４つの係合部２０９が設けられている。各係合部２０９はこの例では同一の矩形状であり、内周面２０７ａから直方体形状に突出している。これら各係合部２０９は前記軸部材１５０の各被係合部１６３に係合する位置に設けられ、それぞれ回転つまみ２００の回転中心軸Ｌ方向にスライド可能に係合する形状に形成されている。また回転つまみ２００の軸部材収納部２０７の内周面２０７ａには、この内周面２０７ａから突出する凸部からなる１つの位置決め部２１１が設けられている。位置決め部２１１は矩形状であり、内周面２０７ａから直方体形状に突出している。この位置決め部２１１は前記軸部材１５０の位置決め部１６５に係合する位置に設けられ、回転つまみ２００の回転中心軸Ｌ方向にスライド可能に係合する形状に形成されている。
【００２４】
図２に示す２２０は所望の粘度を有するグリスであり、グリス２２０は以下で説明するように、ケース１２０のグリス充填部１３５に適量が充填される。
【００２５】
次に回転式電子部品１の組立方法を説明する。まず予め回転体７０の上面に補強板１００を載置し、その際回転体７０の各取付片７７を補強板１００の各取付固定部１０３に挿入して各取付片７７の先端を熱かしめして取り付ける。一方回転体７０の下面に摺動子８０を設置し、その際回転体７０の各摺動子取付部７９を摺動子８０の各固定部８９に挿入して各摺動子取付部７９の先端を熱かしめして取り付ける。またケース１２０の上面部１２５の裏面に弾接バネ１１０を設置し、その際上面部１２５の裏面に設けた図示しない一対の小突起を弾接バネ１１０に設けた一対の挿入固定部１１３にそれぞれ挿入して前記小突起の先端を熱かしめして取り付ける。またケース１２０のグリス充填部１３５にその開口部１３５ａから予め所定量のグリス２２０を充填する。また弾接バネ１１０にもグリスを塗布しておく。
【００２６】
そして軸部材１５０の上に押釦つまみ１８０を設置し、その際押釦つまみ１８０の軸部１８３を軸部材１５０の挿通部１５５に上下動自在に挿入し、押釦つまみ１８０のつまみ部１８１を軸部材１５０のつまみ部収納部１６７内に収納し、同時に押釦つまみ１８０の位置決め部１８９を軸部材１５０のつまみ位置決め部１６９に係合して軸部材１５０に対して押釦つまみ１８０が回転しないようにする。
【００２７】
次に押釦つまみ１８０を装着した軸部材１５０の上に回転つまみ２００を被せ、軸部材１５０の上部を回転つまみ２００の軸部材収納部２０７内に収納する。その際回転つまみ２００の各係合部２０９を軸部材１５０の各被係合部１６３に、回転つまみ２００の回転中心軸Ｌ方向にスライドして係合させる。同時に回転つまみ２００の位置決め部２１１を軸部材１５０の位置決め部１６５に、回転つまみ２００の回転中心軸Ｌ方向にスライドして係合させる。なおこのとき軸部材１５０の上端面は回転つまみ２００の上面部２０３の裏面に当接し、この当接した位置（スライド方向の位置）に位置決めされる。またこのとき各係合部２０９の下端２０９ａは、被係合部１６３の下端（つまみ固定部１５３の下面）から少し突出（露出）する。そして突出（露出）した各係合部２０９の下端２０９ａを図１に示すように熱かしめして潰し、これによって係合部２０９と被係合部１６３とを固定し、回転つまみ２００と軸部材１５０とを一体化する。
【００２８】
次に押釦つまみ１８０及び回転つまみ２００を一体化した軸部材１５０の軸部本体１５１の外表面、又はケース１２０の軸受孔１２９の内表面にグリスを塗布した上で、前記軸部材１５０をケース１２０上に配置し、軸部材１５０の軸部本体１５１をケース１２０の軸受孔１２９に回動自在に挿入する。このとき同時にグリス充填部１３５に充填されているグリス２２０内にグリス充填部１３５の開口部１３５ａから軸部材１５０に設けた抵抗付与部１５９が挿入される。
【００２９】
次にケース１２０の下面側からその収納部１２７内に、補強板１００と摺動子８０とを取り付けた回転体７０を収納し、軸部材１５０下端の各取付係合部１５７を回転体７０の各取付穴７３に挿入し、回転体７０の下面から突出する各取付係合部１５７を熱かしめして軸部材１５０と回転体７０とを一体化する。
【００３０】
次にケース１２０の下面にフレキシブル回路基板２０の回転式電子部品部４５を配置し、その下側に支持台６０を設置し、その際ケース１２０の各取付固定部１４１を回転式電子部品部４５の各挿通孔５１と支持台６０の各挿通孔部６３に挿入し、支持台６０の下面側に露出する各取付固定部１４１の先端を熱かしめして取り付ける。
【００３１】
そして第１，第２基板部２１，２３を重ね合せた押釦スイッチ部２５を、支持台６０の下面側に配置し、その下側に取付板１０を配置し、その際ケース１２０の各固定部１３７を押釦スイッチ部２５の各挿通部４３と取付板１０の各取付部１１とに挿入し、取付板１０の下面から露出する各固定部１３７の先端を熱かしめして取り付ける。これによって回転式電子部品１の組立が完了する。なお上記組立手順は一例であり、他の各種異なる組立手順を用いて組み立てても良いことはいうまでもない。
【００３２】
以上のように構成された回転式電子部品１において、回転つまみ２００を回転すると、これと一体に軸部材１５０、回転体７０、摺動子８０、補強板１００が回転し、摺動子８０の各弾接部８７が回転式電子部品部４５の摺接パターン４９上を摺動し、その電気的出力が変化する。そして回転つまみ２００を回転した際、グリス充填部１３５に充填されたグリス２２０内を軸部材１５０の抵抗付与部１５９が移動することでグリス２２０によるねっとり感のある回転抵抗（グリス抵抗）が生じる。即ちグリス抵抗はグリス充填部１３５に充填されたグリス２２０内にグリス充填部１３５の上方から抵抗付与部１５９を挿入することによって付与されるので、単に回転つまみ２００の回転軸とその軸受の間にグリスを塗布する場合に比べて、十分なグリス２２０によってグリス抵抗を付与でき、従来に比べてさらに十分なねっとり感が得られるばかりか、大きな抵抗が得られる。同時に補強板１００上をグリスを塗布した弾接バネ１１０の弾接部１１７が弾接して移動することで弾接バネ１１０による回転抵抗（弾接抵抗）が生じる。この回転式電子部品１においては、グリス抵抗の強さと弾接抵抗の強さとを略５０％ずつとしている。
【００３３】
つまりグリス抵抗と弾接抵抗の両者によって回転つまみ２００の回転に粘り（ねっとり感）があり且つ強い抵抗を付与できるが、その際、温度によって変化しない弾接抵抗によって、温度によって変化するグリス抵抗の変化を相対的に小さくすることができる。そして本回転式電子部品１によれば、上述のように従来に比べて十分なねっとり感が得られるので、例え弾接抵抗によってグリス抵抗が相対的に小さくなってもねっとり感としては十分なものが得られ、同時に温度によってねっとり感に変化は出るものの弾接抵抗があるので回転抵抗全体としては大きく変化することがなく、従って両回転抵抗（グリス抵抗と弾接抵抗）のバランスを図ることで、回転つまみ２００の回転時に適度な強さのねっとりとした粘りのある抵抗が得られると共にその抵抗が温度による影響を受け難い回転式電子部品１が得られる。
【００３４】
特にこの回転式電子部品１においては、抵抗付与部１５９を構成する複数の円弧状板部材によってグリス充填部１３５内に充填したグリス２２０が攪拌されるので、隣り合う円弧状板部材間の隙間に充填されているグリス２２０が掻き回され、グリス２２０の粘性を効率的に十分に回転つまみ２００に伝達でき、ねっとりとした強い抵抗を付与できる。
【００３５】
またこの回転式電子部品１においては、グリスを軸部材１５０（その軸部材本体１５１の外周面）とケース１２０の軸受突部１３１（軸受孔１２９の内周面）の間にも塗布しているので、さらにグリスによるねっとりとした強い抵抗を得ることができる。
【００３６】
またこの回転式電子部品１においては、ケース１２０の回転つまみ２００側にグリス充填部１３５を設置し、ケース１２０の収納部１２７内の回転体７０よりも回転つまみ２００側に弾接バネ１１０を設置すると共に回転体７０の反対面側に電気的機能部である摺動子８０等を設置したので、グリス充填部１３５から十分離れた位置に電気的機能部を設置でき、グリス２２０が電気的機能部に達することを容易に防止できる。
【００３７】
一方押釦つまみ１８０のつまみ部１８１を押圧してこれを下降すれば、その押圧部１８５が押圧スイッチ３７上に設置した反転板４１を押圧してこれを反転し、押圧スイッチ３７がオンする。前記押圧を解除すれば反転板４１の弾性復帰力によって押釦つまみ１８０は元の位置に押し上げられ、押圧スイッチ３７はオフする。
【００３８】
なおこの回転式電子部品１においては、他部品収納部となる挿通部１５５及びつまみ部収納部１６７に、押釦つまみ１８０を回転つまみ２００の回転中心軸Ｌ方向に向かって移動可能に収納すると共に、押釦つまみ１８０の他部品収納部から露出する押圧部１８５によって押圧される位置に押圧スイッチ３７を配置したので押圧式電子部品付の回転式電子部品１を容易に構成できる。
【００３９】
またこの回転式電子部品１においては、回転つまみ２００の軸部材収納部２０７内に囲み突部１３３まで含めて収納するので、グリス抵抗付与のための機構によって回転式電子部品１が大型化することもない。言い換えれば回転つまみ２００内の空きスペースを用いてグリス抵抗付与機構を設置している。
【００４０】
なお上記回転式電子部品１においては、ケース１２０（又はケース１２０に取り付けられるケース１２０側の他の部材でもよい）に弾接バネ１１０を取り付けることで、弾接バネ１１０を回転体７０（又は回転体７０と一体に回転する回転体７０側の他の部材、例えば補強板１００）に弾接させる構造としたが、その代りに弾接バネ１１０を回転体７０（又は回転体７０と一体に回転する回転体７０側の他の部材）に取り付けることで、弾接バネ１１０をケース１２０（又はケース１２０に取り付けられるケース１２０側の他の部材でもよい）に弾接させる構造としても良い。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記回転式電子部品１では、押釦つまみ１８０や押圧スイッチ３７等によって、回転式電子部品の中央に押圧式電子部品を設置したが、押圧式電子部品の設置はこれを省略しても良い。また上記回転式電子部品１においては、回転体７０と回転つまみ２００と軸部材１５０とをそれぞれ別部品で構成したが、軸部材１５０を回転体７０又は回転つまみ２００と一体成形によって設けても良い。要はケースの収納部内に回転体を回転自在に収納すると共に回転体に取り付けた軸部材をケース上面から突出する構成であれば良い。また上記回転式電子部品１においては、軸部材１５０に抵抗付与部１５９を設けたが、回転つまみ２００に抵抗付与部を設けても良い。また回路基板はフレキシブル回路基板２０に限定されず、硬質の回路基板であっても良い。また電気的機能部の構成も摺接パターン４９と摺動子８０の組み合わせの構造に限定されず、他の種々の構成であってもよく、要は回転体の回転によって電気的出力を変化する構成であれば良い。
【図面の簡単な説明】
【００４２】
【図１】回転式電子部品１の概略側断面図である。
【図２】回転式電子部品１の上部の部品を上側から見た分解斜視図である。
【図３】回転式電子部品１の下部の部品を上側から見た分解斜視図である。
【図４】回転式電子部品１の上部の部品を下側から見た分解斜視図である。
【図５】回転式電子部品１の下部の部品を下側から見た分解斜視図である。
【図６】回転つまみ２００を拡大して下面側から見た斜視図である。
【符号の説明】
【００４３】
１  回転式電子部品
１０  取付板
２０  フレキシブル回路基板（回路基板）
４９  摺接パターン（電気的機能部）
６０  支持台
７０  回転体
８０  摺動子（電気的機能部）
１００  補強板
１１０  弾接バネ（弾接部材）
１２０  ケース
１２７  収納部
１３１  軸受突部
１３３  囲み突部
１３５  グリス充填部
１３５ａ  開口部
１５０  軸部材
１５９  抵抗付与部
１８０  押釦つまみ
２００  回転つまみ
２２０  グリス
【図１】
0004827830.tif 000002
【図２】
0004827830.tif 000003
【図３】
0004827830.tif 000004
【図４】
0004827830.tif 000005
【図５】
0004827830.tif 000006
【図６】
0004827830.tif 000007